(57)【要約】【課題】所望の入力フォームを迅速に選択することが可能な編集装置、印刷装置、編集装置の制御方法およびプログラムを提供する。【解決手段】本発明の編集装置を適用したＰＣ２は、複数の入力フォームをそれぞれ書き換え不可能な利用推奨時期と関連付けて記憶するフォーム記憶部５１と、現在日時を取得する日時取得部５３と、複数の入力フォームのうち少なくとも一部を対象として各入力フォームの利用推奨時期と取得した現在日時との関係に基づく順序で表示部に表示させる表示制御部５４と、表示部に表示された各入力フォームの中から１の入力フォームを選択するフォーム選択部５５と、選択された１の入力フォームを用いて、画像編集を行う画像編集部５６と、を備えた。【選択図】図４
2016012256.tif 000002
【特許請求の範囲】
【請求項１】
複数の入力フォームを、それぞれ書き換え不可能な利用推奨時期と関連付けて記憶するフォーム記憶部と、
現在日時を取得する日時取得部と、
前記複数の入力フォームのうち少なくとも一部を対象とし、各入力フォームの前記利用推奨時期と取得した前記現在日時との関係に基づく順序で表示部に表示させる表示制御部と、を備えたことを特徴とする編集装置。
【請求項２】
前記表示部に表示された各入力フォームの中から、１の入力フォームを選択するフォーム選択部と、
選択された前記１の入力フォームを用いて、画像編集を行う画像編集部と、をさらに備えたことを特徴とする請求項１に記載の編集装置。
【請求項３】
前記表示制御部は、前記複数の入力フォームのうち、前記現在日時を基準とした特定期間に含まれる前記利用推奨時期が関連付けられた１以上の入力フォームを対象として、前記利用推奨時期と前記現在日時との関係に基づく順序で表示させることを特徴とする請求項２に記載の編集装置。
【請求項４】
前記フォーム記憶部は、前記複数の入力フォームを、各入力フォームのカテゴリーと関連付けて記憶しており、
複数のカテゴリー候補の中から、１のカテゴリーを選択するカテゴリー選択部をさらに備え、
前記表示制御部は、前記複数の入力フォームのうち、前記カテゴリー選択部により選択された前記１のカテゴリーが関連付けられた１以上の入力フォームを抽出して、前記表示部に表示させることを特徴とする請求項３に記載の編集装置。
【請求項５】
前記利用推奨時期は、二十四節気、五節句、雑節、国民の祝日のいずれかを示すものであり、
前記表示制御部は、対象となる前記１以上の入力フォームを、各入力フォームに関連付けられた前記利用推奨時期が示す日時順に表示することを特徴とする請求項４に記載の編集装置。
【請求項６】
前記現在日時を基準とした特定期間は、前記現在日時に最も近い前記二十四節気が示す日時から所定数先の前記二十四節気が示す日時までの期間であることを特徴とする請求項５に記載の編集装置。
【請求項７】
前記フォーム記憶部は、前記複数の入力フォームを、各入力フォームの使用状況と関連付けて記憶しており、
前記表示制御部は、対象となる前記１以上の入力フォームを、各入力フォームの前記使用状況を考慮した順序で表示させることを特徴とする請求項３ないし請求項６のいずれか一項に記載の編集装置。
【請求項８】
前記フォーム記憶部は、前記複数の入力フォームを、印刷媒体の種類を示す媒体情報と関連付けて記憶しており、
前記画像編集部の編集結果を印刷する印刷媒体の種類を判別する媒体判別部をさらに備え、
前記表示制御部は、前記媒体判別部によって判別された前記印刷媒体の種類に基づき、前記複数の入力フォームの中から１以上の入力フォームを抽出して、前記表示部に表示させることを特徴とする請求項２ないし請求項７のいずれか一項に記載の編集装置。
【請求項９】
請求項２ないし請求項８のいずれか一項に記載の編集装置における各部と、
前記画像編集部による編集結果に基づいて、印刷媒体に印刷を行う印刷部と、を備えたことを特徴とする印刷装置。
【請求項１０】
複数の入力フォームを、それぞれ書き換え不可能な利用推奨時期と関連付けて記憶するフォーム記憶ステップと、
現在日時を取得する日時取得ステップと、
前記複数の入力フォームのうち少なくとも一部を対象とし、各入力フォームの前記利用推奨時期と取得した前記現在日時との関係に基づく順序で表示部に表示させる表示制御ステップと、を実行することを特徴とする編集装置の制御方法。
【請求項１１】
コンピューターに、請求項１０に記載の編集装置の制御方法における各ステップを実行させるためのプログラム。
【発明の詳細な説明】
【技術分野】
【０００１】
本発明は、入力フォームを用いて画像編集を行う編集装置、印刷装置、編集装置の制御方法およびプログラムに関する。
【背景技術】
【０００２】
従来、印刷書式を選択して印刷データを編集する印刷装置において、使用頻度の高い順に印刷書式の候補を一覧表示するものが知られている（例えば、特許文献１）。この構成により、ユーザーは、所望の印刷書式を迅速に（少ないキー操作で）選択することができる。
【先行技術文献】
【特許文献】
【０００３】
【特許文献１】特開２００９−２２３６１３号公報
【発明の概要】
【発明が解決しようとする課題】
【０００４】
ところで、上記特許文献１のように、印刷書式を選択する場合は、使用頻度順に候補一覧を表示することが好ましいが、必ずしも使用頻度順に候補一覧を表示することが好ましいとは言えない場合がある。例えば、ラベル編集用の入力フォームを選択する場合、季節感のあるものが多いため、入力フォームの候補一覧が使用頻度順に並べられると、１年前に選択された入力フォームの表示優先度が低くなっている場合が多い。このため、所望の入力フォームの選択に時間がかかる（多くのキー操作を必要とする）といった問題がある。
【０００５】
本発明は、上記の問題点に鑑み、季節感のある入力フォームなど所望の入力フォームを迅速に選択することが可能な編集装置、印刷装置、編集装置の制御方法およびプログラムを提供することを目的とする。
【課題を解決するための手段】
【０００６】
本発明の編集装置は、複数の入力フォームを、それぞれ書き換え不可能な利用推奨時期と関連付けて記憶するフォーム記憶部と、現在日時を取得する日時取得部と、複数の入力フォームのうち少なくとも一部を対象とし、各入力フォームの利用推奨時期と取得した現在日時との関係に基づく順序で表示部に表示させる表示制御部と、を備えたことを特徴とする。
【０００７】
本発明の編集装置の制御方法は、複数の入力フォームを、それぞれ書き換え不可能な利用推奨時期と関連付けて記憶するフォーム記憶ステップと、現在日時を取得する日時取得ステップと、複数の入力フォームのうち少なくとも一部を対象とし、各入力フォームの利用推奨時期と取得した現在日時との関係に基づく順序で表示部に表示させる表示制御ステップと、を実行することを特徴とする。
【０００８】
本発明の構成によれば、各入力フォームを、それぞれの利用推奨時期と関連付けて記憶しておき、各入力フォームの利用推奨時期と現在日時との関係に基づく順序で表示するため、例えば、現在日時が示す季節に合った入力フォームを優先表示させることができる。これにより、例えば季節ものの商品に貼付する商品ラベルや、学校行事に関する配布物などを作成する際、ユーザーは、所望の入力フォームを迅速に選択することができる。また、利用推奨時期は書き換え不可能であるため、推奨時期が春の入力フォームを、誤って秋に選択してしまうなどの誤選択を防止できる。
なお、「入力フォーム」とは、画像や文書を作成するための雛形、書式、形式、伝票などを含む概念である。
また、現在日時の取得は、外部装置から取得しても良いし、編集装置内に設けられた計時部の計時結果を取得しても良い。
また、「各入力フォームの利用推奨時期」とは、季節の移り変わりを表したものであっても良いし、年月日を示すものであっても良いし、時刻を示すものであっても良い。また、特定の期間を示すものであっても良い。
【０００９】
上記の編集装置において、表示部に表示された各入力フォームの中から、１の入力フォームを選択するフォーム選択部と、選択された１の入力フォームを用いて、画像編集を行う画像編集部と、をさらに備えたことを特徴とする。
【００１０】
本発明の構成によれば、季節感のある入力フォームを迅速に選択できるため、画像編集時の操作性を向上できる。
なお、「画像編集」とは、テキストを一部に含む画像や表の編集も含む概念である。
【００１１】
上記の編集装置において、表示制御部は、複数の入力フォームのうち、現在日時を基準とした特定期間に含まれる利用推奨時期が関連付けられた１以上の入力フォームを対象として、利用推奨時期と現在日時との関係に基づく順序で表示させることを特徴とする。
【００１２】
本発明の構成によれば、複数の入力フォーム全てを対象として優先表示するのではなく、現在日時に適した特定期間内の利用推奨時期が関連付けられた１以上の入力フォームを対象とする（言い換えれば、１以上の入力フォーム以外は優先表示しない）ため、ユーザーは、現在日時に適さない入力フォームを使用する場合であっても、容易に選択することができる。
【００１３】
上記の編集装置において、フォーム記憶部は、複数の入力フォームを、各入力フォームのカテゴリーと関連付けて記憶しており、複数のカテゴリー候補の中から、１のカテゴリーを選択するカテゴリー選択部をさらに備え、表示制御部は、複数の入力フォームのうち、カテゴリー選択部により選択された１のカテゴリーが関連付けられた１以上の入力フォームを抽出して、表示部に表示させることを特徴とする。
【００１４】
本発明の構成によれば、カテゴリーに応じて入力フォームの絞り込みを行うため、ユーザーは、所望の入力フォームをさらに迅速に選択することができる。
【００１５】
上記の編集装置において、利用推奨時期は、二十四節気、五節句、雑節、国民の祝日のいずれかを示すものであり、表示制御部は、対象となる１以上の入力フォームを、各入力フォームに関連付けられた利用推奨時期が示す日時順に表示することを特徴とする。
【００１６】
本発明の構成によれば、二十四節気、五節句、雑節、国民の祝日のいずれかに基づいて、現在日時に適した入力フォームを日時順に表示することができる。
なお、「二十四節気」とは、一太陽年を日数（平気法）または太陽の黄道上の視位置（定気法）によって二十四等分し、その分割点を含む日に季節を表す名称を付したものを指す。
また、「五節句」とは、人日:七草の節句、上巳:桃の節句、端午の節句、七夕、重陽:菊の節句を指し、「雑節」とは、節分、彼岸、八十八夜、入梅、半夏生、土用、二百十日を指す。また、「国民の祝日」とは、国民の祝日に関する法律（祝日法）によって定められる祝日を指す。但し、国民の祝日のうち「春分の日」と「秋分の日」を除いて利用推奨時期を規定することが望ましい。
【００１７】
上記の編集装置において、現在日時を基準とした特定期間は、現在日時に最も近い二十四節気が示す日時から所定数先の二十四節気が示す日時までの期間であることを特徴とする。
【００１８】
本発明の構成によれば、現在日時に最も近い二十四節気以降の季節に適した入力フォームを表示することができる。
【００１９】
上記の編集装置において、フォーム記憶部は、複数の入力フォームを、各入力フォームの使用状況と関連付けて記憶しており、表示制御部は、対象となる１以上の入力フォームを、各入力フォームの使用状況を考慮した順序で表示させることを特徴とする。
【００２０】
本発明の構成によれば、各入力フォームに関連付けられた利用推奨時期だけでなく、使用状況を考慮した順序で表示するため、入力フォームを選択する際の利便性を向上できる。
なお、「使用状況」とは、使用頻度または使用回数を含む概念である。
【００２１】
上記の印刷装置において、フォーム記憶部は、複数の入力フォームを、印刷媒体の種類を示す媒体情報と関連付けて記憶しており、画像編集部の編集結果を印刷する印刷媒体の種類を判別する媒体判別部をさらに備え、表示制御部は、媒体判別部によって判別された印刷媒体の種類に基づき、複数の入力フォームの中から１以上の入力フォームを抽出して、表示部に表示させることを特徴とする。
【００２２】
本発明の構成によれば、印刷媒体の種類に応じて入力フォームの絞り込みを行うため、入力フォームの誤選択を防止できる。例えば、印刷媒体がテープ状媒体の場合、テープ幅が不足するような入力フォームを選択してしまうことを防止できる。
【００２３】
本発明の印刷装置は、上記の編集装置における各部と、画像編集部による編集結果に基づいて、印刷媒体に印刷を行う印刷部と、を備えたことを特徴とする。
【００２４】
本発明の構成によれば、季節感のある入力フォームなど所望の入力フォームを迅速に選択し、その入力フォームを用いた印刷物を作成することが可能な印刷装置を実現できる。
【００２５】
本発明のプログラムは、コンピューターに、上記の編集装置の制御方法における各ステップを実行させることを特徴とする。
【００２６】
このプログラムを実行することにより、季節感のある入力フォームなど所望の入力フォームを迅速に選択することが可能な編集装置の制御方法を実現できる。
【図面の簡単な説明】
【００２７】
【図１】第１実施形態に係る印刷システムの構成図である。
【図２】ＰＣのハードウェア構成を示すブロック図である。
【図３】テープ印刷装置のハードウェア構成を示すブロック図である。
【図４】第１実施形態に係るＰＣの機能構成を示すブロック図である。
【図５】フォーム編集画面の一例を示す図である。
【図６】フォーム編集画面の一例を示す図である。
【図７】フォーム記憶部に記憶される情報の一例を示す図である。
【図８】（ａ）は、４月５日に「行事タブ」が選択されたときに表示する入力フォームの表示順序を示す図であり、（ｂ）は、１２月７日に「お店タブ」が選択されたときに表示する入力フォームの表示順序を示す図である。
【図９】４月５日に「季節タブ」が選択されたときに表示する入力フォームの表示順序を示す図である。
【図１０】第２実施形態に係るＰＣの機能構成を示すブロック図である。
【図１１】第２実施形態に係るフォーム記憶部に記憶される情報の一例を示す図である。
【図１２】第２実施形態において、４月５日に「行事タブ」が選択されたときに表示する入力フォームの表示順序を示す図である。
【図１３】第３実施形態に係るテープ印刷装置の機能構成を示すブロック図である。
【発明を実施するための形態】
【００２８】
［第１実施形態］
以下、添付の図面を参照して、本発明の編集装置、印刷装置、編集装置の制御方法およびプログラムについて説明する。本実施形態では、本発明の編集装置を、パーソナルコンピューター（以下、「ＰＣ」と称する）２に適用した場合を例示する。また、ＰＣ２は、テープ状部材（以下、「印刷テープ」と称する）に印刷を行ってラベルを作成するテープ印刷装置３と通信可能であるものとする。
【００２９】
図１は、本発明の一実施形態に係る印刷システム１の構成図である。同図に示すように、印刷システム１は、ＰＣ２およびテープ印刷装置３から成る。
【００３０】
ＰＣ２は、ＰＣ本体２１、ディスプレー２２（表示部）、キーボード２３、マウス２４など一般的なコンピューターの構成を有している。また、ＰＣ２は、ＵＳＢケーブル４０を介してテープ印刷装置３と通信する。なお、ＰＣ２とテープ印刷装置３間の通信は、ＵＳＢ規格に限らず、Ｅｔｈｅｒｎｅｔ（登録商標）など他の規格を用いても良い。また、Ｂｌｕｅｔｏｏｔｈ（登録商標）などの無線通信を用いても良い。
【００３１】
テープ印刷装置３は、長尺状の印刷テープＴおよびインクリボンが収容されたテープカートリッジ３１が装着され、ＰＣ２から印刷ジョブを受信すると、テープカートリッジ３１から印刷テープＴを繰り出しつつ、印刷処理および切断処理を行う。印刷テープＴの印刷済み部分は、切断処理後、テープ排出口３２から排出され、ラベルとして用いられる。
【００３２】
次に、図２および図３を参照し、ＰＣ２およびテープ印刷装置３のハードウェア構成について説明する。図２は、ＰＣ２のブロック図である。ＰＣ２は、主なハードウェア構成として、図１に示したディスプレー２２、キーボード２３、マウス２４の他、ＵＳＢ通信部２５、ＨＤＤ（Hard  disk  drive）２６、タイマー２７およびＰＣ側制御部２８を備えている。
【００３３】
ディスプレー２２は、ラベル編集用の入力フォーム（印刷フォーム）を選択するためのフォーム編集画面（図５のＤ１，図６のＤ２参照）など、各種情報を表示する。キーボード２３およびマウス２４は、入力フォームを選択するための選択操作や画像編集操作を行うために用いられる。ＵＳＢ通信部２５は、ＵＳＢ通信規格に基づき、テープ印刷装置３と通信を行う。
【００３４】
ＨＤＤ２６は、ＯＳや専用アプリケーションを記憶する。専用アプリケーションは、テープ印刷装置３を制御するためのアプリケーションである。専用アプリケーションの機能については、図４を参照して後述する。タイマー２７は、現在日時を計時する。
【００３５】
ＰＣ側制御部２８は、ＣＰＵ（Central  Processing  Unit）やＲＡＭ（Random  Access  Memory）等により実現され、上記の各部（符号２２ないし符号２７）と連携し、印刷ジョブの生成処理やテープ印刷装置３との通信制御を行う。
【００３６】
図３は、テープ印刷装置３のブロック図である。テープ印刷装置３は、主なハードウェア構成として、ＵＳＢ通信部３３、カートリッジ検出部３４、印刷機構３５および印刷装置側制御部３６を備えている。
【００３７】
ＵＳＢ通信部３３は、ＵＳＢ通信によりＰＣ２と通信を行う。カートリッジ検出部３４は、カートリッジの種類（テープ幅、テープ色、リボン色、テープ材質など）を検出する。検出方法としては、テープカートリッジ３１に形成された１以上の孔の有無を検出する方法、テープカートリッジ３１に貼付または印刷されたコード画像（バーコードや２次元コードなど）を読み取る方法などが考えられる。なお、テープカートリッジ３１を検出するのではなく、テープカートリッジ３１から繰り出された印刷テープＴを各種センサーで検出しても良い。
【００３８】
印刷機構３５は、印刷ヘッド４１、テープ送りモーター４２、カッターモーター４３およびテープカッター４４を含む。印刷ヘッド４１は、サーマルヘッドであり、繰り出された印刷テープＴおよびインクリボンを、プラテンローラー（図示省略）との間に挟み込んで印刷を行う。テープ送りモーター４２は、繰り出された印刷テープＴを、印刷ヘッド４１からテープ排出口３２（図１参照）に向けて搬送する。カッターモーター４３は、テープカッター４４を駆動し、テープ送りを一旦停止した状態で、印刷テープＴの印刷済み部分をテープ幅方向に切断する。
【００３９】
印刷装置側制御部３６は、ＣＰＵやＲＡＭ等により実現され、上記の各部（符号３３ないし符号３５）と連携し、ＰＣ２との通信制御や印刷制御を行う。具体的には、テープカートリッジ３１の装着時またはＰＣ２からの問い合わせがあったとき、ＵＳＢ通信部３３を介してカートリッジ検出部３４の検出結果をＰＣ２に送信する。また、ＰＣ２からＵＳＢ通信部３３を介して印刷ジョブを受信し、当該印刷ジョブに基づいて印刷機構３５を制御する。
【００４０】
次に、図４を参照し、ＰＣ２の機能構成について説明する。ＰＣ２は、主な機能構成として、フォーム記憶部５１、カテゴリー選択部５２、日時取得部５３、表示制御部５４、フォーム選択部５５、画像編集部５６および印刷指令部５７を備えている。これら各部は、いずれも上記の専用アプリケーション（図２参照）によって実現される機能である。
【００４１】
フォーム記憶部５１は、複数の入力フォームを、それぞれ付加情報と関連づけて記憶する。図７は、フォーム記憶部５１に記憶される情報の一例を示す図である。同図に示すように、フォーム記憶部５１は、付加情報として、「第１カテゴリー」、「第２カテゴリー」、「第１利用推奨時期」、「第２利用推奨時期」を記憶している。これらは、いずれも書き換え不可能な情報である。
【００４２】
ここで、「第１カテゴリー」および「第２カテゴリー」は、フォーム編集画面のタブ（インデックス、図５，図６の符号６１参照）に対応している。例えば、「第１カテゴリー」は、フォーム編集画面の４つのタブのうち、「事務タブ」、「行事タブ」、「お店タブ」のいずれに属するかを示している。また、「第２カテゴリー」は、フォーム編集画面の４つのタブのうち、「季節タブ」に含まれるか否かを示している。図７に示すフォーム一覧において、「第２カテゴリー」に「シーズン」と記されている入力フォームは「季節タブ」が選択されたとき表示対象となる。また、「シーズン」と記されている入力フォームは、「事務タブ」、「行事タブ」、「お店タブ」のいずれかが選択された場合に、後述する表示制御部５４の優先表示の対象となる。
【００４３】
また、「第１利用推奨時期」は、対応する入力フォームの利用が推奨される時期を、二十四節気、五節句、雑節または国民の祝日によって示している。ここで、二十四節気とは、一年を二十四等分して約十五日ごとに分けた季節に名称を付したものであり、日数に基づく平気法、太陽の黄道上の視位置に基づく定気法のいずれであっても良い。また、五節句とは、人日:七草の節句、上巳:桃の節句、端午の節句、七夕、重陽:菊の節句を指し、雑節とは、節分、彼岸、八十八夜、入梅、半夏生、土用、二百十日を指す。また、国民の祝日は、「国民の祝日に関する法律」で定められた休日を指すが、本実施形態では、春分の日と秋分の日を除く。一方、「第２利用推奨時期」は、対応する入力フォームの利用が推奨される時期を、春、初夏、盛夏、秋、冬の分類で示している。
【００４４】
図４の説明に戻る。カテゴリー選択部５２は、ユーザーのキーボード２３またはマウス２４の操作により、複数のカテゴリー候補の中から、１のカテゴリーを選択する。本実施形態では、フォーム編集画面の４つのタブ（符号６１）のうちいずれか１のタブを選択することにより、カテゴリーを選択する。日時取得部５３は、タイマー２７により計時された現在日時を取得する。
【００４５】
表示制御部５４は、フォーム記憶部５１に記憶されている複数の入力フォームのうち少なくとも一部を対象とし、各入力フォームの利用推奨時期（第１利用推奨時期および／または第２利用推奨時期）と、日時取得部５３により取得した現在日時との関係に基づく順序でディスプレー２２（図５，図６のフォーム編集画面Ｄ１、Ｄ２）に優先表示させる。ここで、優先表示の対象となるのは、複数の入力フォームのうち、現在日時を基準とした特定期間に含まれる利用推奨時期が関連付けられた１以上の入力フォームである。本実施形態において、「現在日時を基準とした特定期間」とは、現在日時を含む二十四節気が示す日時から所定数先の二十四節気が示す日時までの期間である。具体例については後述する。
【００４６】
フォーム選択部５５は、ユーザーのキーボード２３またはマウス２４の操作により、ディスプレー２２に表示された各入力フォーム（入力フォームの選択肢一覧）の中から、１の入力フォームを選択する。画像編集部５６は、フォーム選択部５５により選択された１の入力フォームを用いて、画像編集を行う。本実施形態において、「画像編集」とは、ユーザーのキーボード２３またはマウス２４の操作による入力フォームへのテキスト入力を指す。印刷指令部５７は、画像編集部５６の編集結果に基づいて生成された印刷ジョブに基づき、テープ印刷装置３に印刷指令を行う。
【００４７】
次に、図５および図６を参照し、フォーム編集画面Ｄ１，Ｄ２について具体例を挙げて説明する。図５は、「事務タブ」が選択された場合のフォーム編集画面Ｄ１を示している。また、図６は、「季節タブ」が選択された場合のフォーム編集画面Ｄ２を示している。両図に示すように、フォーム編集画面Ｄ１は、タブ表示領域６１、フォーム選択肢表示領域６２および編集領域６３を有している。
【００４８】
図５に示すフォーム編集画面Ｄ１の場合、タブ表示領域６１では「事務タブ」が選択されている（他のタブより手前側に表示されている）。また、フォーム選択肢表示領域６２では、フォーム記憶部５１において、第１カテゴリーが「事務」の入力フォームを対象とし、事務関係のラベルに用いる入力フォーム（雛形）の選択肢（入力フォーム、または入力フォームに仮テキストが入力されたものを縮小表示したもの）を表示している。また、編集領域６３では、フォーム選択肢表示領域６２で選択された入力フォームを編集可能な状態（テキストを入力可能な状態）で表示している。
【００４９】
一方、図６に示すフォーム編集画面Ｄ２の場合、タブ表示領域６１では「季節タブ」が選択されている。また、フォーム選択肢表示領域６２では、フォーム記憶部５１において、第２カテゴリーが「シーズン」の入力フォームを対象とし、季節に関係するラベルに用いる入力フォームの選択肢を表示している。また、編集領域６３には、フォーム選択肢表示領域６２で選択された入力フォームを編集可能な状態で表示している。
【００５０】
ここで、図７ないし図９を参照し、フォーム選択肢表示領域６２に表示する入力フォーム候補の抽出方法、および表示順序の決定方法について説明する。なお、図５，図６に示したフォーム編集画面Ｄ１，Ｄ２の表示例と、図７ないし図９の情報は、直接対応するものではない。また、図７の入力フォーム一覧では、「事務タブ」に対応する入力フォームの記載を省略しているが、他のカテゴリーと同様に扱われる。
【００５１】
図８（ａ）は、図７に示す入力フォーム一覧がフォーム記憶部５１に記憶されている場合であって、４月５日に「行事タブ」が選択された場合に表示する入力フォームの表示順序を示す図である。また、図８（ｂ）は、図７に示す入力フォーム一覧がフォーム記憶部５１に記憶されている場合であって、１２月７日に「お店タブ」が選択された場合に表示する入力フォームの表示順序を示す図である。
【００５２】
表示制御部５４は、カテゴリー選択部５２により、１のカテゴリー（「事務タブ」、「行事タブ」、「お店タブ」のいずれか）が選択された場合、フォーム記憶部５１に記憶されている複数の入力フォームのうち、選択された１のカテゴリーが関連付けられた１以上の入力フォームを抽出して、フォーム選択肢表示領域６２に表示する。例えば、「行事タブ」が選択された場合は、図７に示す入力フォーム一覧の中から、第１カテゴリーが「行事」の入力フォームを抽出する。さらに、表示制御部５４は、抽出した入力フォームのうち、関連付けられた第１利用推奨時期が、現在日時を基準とした特定期間に含まれる入力フォームについては、第１利用推奨時期が示す日時順にしたがって表示する。本実施形態では、「現在日時を基準とした特定期間」を、現在日時に最も近い二十四節気から所定数先（三つ先）の二十四節気までの期間としている。
【００５３】
図８（ａ）の例の場合、「行事タブ」が選択された日が４月５日であるから、最も近い二十四節気は「清明（４月５日）」である。また、「清明」から三つ先の二十四節気は「小満（５月２１日）」である。したがって、第１カテゴリーが「行事」で、且つ第２カテゴリーが「シーズン」の入力フォームのうち、「清明」から「小満」まで（同図の、フォーム番号４，５，６，７）は、第１利用推奨時期が示す日時順（現在日時に近い順）に表示し、残りの入力フォーム（同図の、フォーム番号１，２，３）は、フォーム番号順に（入力フォーム一覧に登録されている順序で）表示する。
【００５４】
同様に、図８（ｂ）の例の場合、「お店タブ」が選択された日が１２月７日であるから、最も近い二十四節気は「大雪（１２月７日）」である。また、「大雪」から三つ先の二十四節気は「大寒（１月２０日）」である。したがって、第１カテゴリーが「お店」で、且つ第２カテゴリーが「シーズン」の入力フォームのうち、「大雪」から「大寒」まで（同図の、フォーム番号３３，３４，３５）は、第１利用推奨時期が示す日時順に表示し、残りの入力フォーム（同図の、フォーム番号２９，３０，３１，３２）は、フォーム番号順に表示する。なお、図８（ｂ）の例では、入力フォーム一覧において、第２カテゴリーに「シーズン」と記されていない入力フォーム（図７の、フォーム番号２３〜２８）について表示対象外としているが、これらをフォーム番号３２以下に表示しても良い。
【００５５】
一方、図９は、図７に示す入力フォーム一覧がフォーム記憶部５１に記憶されている場合であって、４月５日に「季節タブ」が選択されたときに表示する入力フォームの表示順序を示す図である。「季節タブ」が選択された場合は、第２カテゴリーが「シーズン」の入力フォーム全てを対象として、第１利用推奨時期が示す日時順に表示する。また、「季節タブ」が選択された場合は、第１利用推奨時および第２利用推奨時期に基づいて、現在日を含む季節の中で最も日時が早い入力フォームを最優先表示し、その後日時順に入力フォームを表示する。したがって、同図の例の場合、「季節タブ」が選択された日が４月５日（春）であるから、第２利用推奨時期が「春」の中で最も日時が早いフォーム番号２の入力フォームを筆頭に、第１利用推奨時期の日時順に入力フォームを並べて表示する。
【００５６】
以上説明した通り、第１実施形態によれば、ラベル編集用の入力フォームを、各入力フォームの利用推奨時期と現在日時（現在日時に最も近い二十四節気）との関係に基づく順序で表示するため、現在日時が示す季節に合った入力フォームを優先表示させることができる。これにより、例えば学校行事に関する配布物、店舗イベントに用いるＰＯＰ用ラベル、季節ものの商品に貼付する商品ラベルなど季節感のあるラベルを作成する際、ユーザーは、所望の入力フォームを迅速に選択することができる。また、利用推奨時期は書き換え不可能であるため、推奨時期が春の入力フォームを、誤って秋に選択してしまうなどの誤選択を防止できる。
【００５７】
また、図５，図６に示したフォーム編集画面Ｄ１，Ｄ２では、カテゴリー別に入力フォームを表示するため、所望の入力フォームをさらに迅速に選択することができる。また、「行事タブ」や「お店」タブが選択された場合は、現在日時に最も近い二十四節気以降の季節に適した入力フォームを表示対象とするため、行事や店舗イベントの準備をするためのラベルを作成する際に便利である。
【００５８】
なお、以下の変形例を採用可能である。上記の実施形態では、第１利用推奨時期が「現在日時を基準とした特定期間」に含まれる入力フォームを、日時順に表示したが、各入力フォームの使用状況を考慮した順序で表示させても良い。ここで、「使用状況」とは、使用頻度および／または使用回数を指す。例えば、図８（ａ）の場合、上記の実施形態ではフォーム番号４，５，６，７を対象として優先表示したが、その中で、過去使用状況が一番多いものを最優先に表示しても良い。若しくは、「現在日時を基準とした特定期間」に含まれない入力フォームを、各入力フォームの使用状況を考慮した順序で表示させても良い。例えば、図８（ａ）の場合、フォーム番号１，２，３を使用状況に応じた順序で表示しても良い。この構成によれば、各入力フォームの利用推奨時期だけでなく、使用状況を考慮した順序で表示するため、入力フォームを選択する際の利便性を向上できる。つまり、ユーザーの好みやニーズに合った入力フォームを選びやすくすることができる。
【００５９】
また、上記の実施形態では、現在日時をタイマー２７により計時したが、インターネット等のネットワークを介して、外部装置から現在日時を示す日時情報を取得しても良い。
【００６０】
また、上記の実施形態では、「現在日時を基準とした特定期間」を、現在日時に最も近い二十四節気から所定数先（三つ先）の二十四節気までの期間としたが、現在日時以前で現在日時に最も近い二十四節気から所定数先の二十四節気までの期間としても良いし、現在日時以降で現在日時に最も近い二十四節気から所定数先の二十四節気までの期間としても良い。
【００６１】
また、「各入力フォームの利用推奨時期」を、二十四節気、五節句、雑節、国民の祝日および季節によって示したが、年月日を示すものであっても良いし、時刻を示すものであっても良い。また、特定の期間を示すものであっても良い。
【００６２】
また、二十四節気に限らず、一年を複数に分割した分割期間により、利用推奨時期を示しても良い。例えば、一年を春夏秋冬の四つの季節に分け、それぞれをさらに六つに分けた二十四の期間を用いても良い。また、二十四節気をさらに約五日ずつの三つに分けた、七十二候という分類を用いても良い。
【００６３】
また、上記の実施形態の画像編集部５６は、選択した入力フォームにテキストを入力・書き換えする編集を行ったが、画像の編集や表の編集を行っても良い。
【００６４】
また、上記の実施形態において「入力フォーム」とは、テキストを入力してラベルを作成するための雛形であるとしたが、ラベルに限らず、印刷物に印刷する画像や文書を作成するための雛形、書式、形式、伝票などの入力フォームを選択する場合にも、本実施形態を適用可能である。
【００６５】
また、上記の実施形態では、「入力フォーム」として、印刷を前提とした「印刷フォーム」を選択したが、印刷を前提としない場合にも（例えば、表示装置への表示のみを目的として画像編集を行う場合にも）、本実施形態を適用可能である。
【００６６】
また、上記の実施形態では、第１カテゴリーおよび第２カテゴリーが対応する入力フォームを全て表示対象としたが、現在日時に適した特定期間内の利用推奨時期が関連付けられた１以上の入力フォームを抽出して表示しても良い。例えば、図８（ａ）の場合、フォーム番号４，５，６，７のみを表示しても良い。この構成によれば、不要な入力フォームが非表示となるため、ユーザーは、所望の入力フォームをより迅速に選択することができる。但し、本例の場合、優先表示を行わないモードを設け、図５，図６に示したフォーム編集画面Ｄ１，Ｄ２以外の画面にて、季節外れの入力フォームも選択可能とすることが好ましい。
【００６７】
また、上記のフォーム編集画面Ｄ１，Ｄ２は、タブによってカテゴリー分類されているが、カテゴリー分類することなく、フォーム記憶部５１に記憶されている全ての入力フォームを対象として選択可能としても良い。この場合、図５，図６に示したフォーム編集画面Ｄ１，Ｄ２の一部または別画面において、カテゴリー別に分類して表示するか否かの選択肢（チェックボタン）を表示し、その選択結果に応じてフォーム編集画面Ｄ１，Ｄ２を表示することが好ましい。
【００６８】
［第２実施形態］
次に、図１０ないし図１２を参照し、本発明の第２実施形態について説明する。本実施形態では、テープ印刷装置３に装着されているテープカートリッジ３１の種類に応じて、フォーム編集画面Ｄ１，Ｄ２に表示する入力フォームを抽出することを特徴とする。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６９】
図１０は、第２実施形態に係るＰＣ２の機能構成を示すブロック図である。本実施形態のＰＣ２は、第１実施形態と比較して、媒体判別部５８を追加した構成となっている。媒体判別部５８は、テープ印刷装置３のカートリッジ検出部３４（図３参照）の検出結果を取得し、印刷媒体である印刷テープＴの種類を判別する。
【００７０】
また、本実施形態のフォーム記憶部５１は、複数の入力フォームを、印刷媒体の種類を示す媒体情報と関連付けて記憶している。図１１は、本実施形態のフォーム記憶部５１に記憶される情報の一例を示す図である。本実施形態では、第１実施形態（図７参照）と比較し、付加情報として、「テープ幅（媒体情報）」が追加されている。この「テープ幅」も、付加情報に含まれる他の情報と同様に、書き換え不可能な情報である。ここで、「テープ幅」は、対応する入力フォームを印刷可能な最低のテープ幅を記憶している。例えば、フォーム番号「１」の入力フォームの場合、「テープ幅」が「２４ｍｍ」と記憶されているため、テープ印刷装置３に２４ｍｍ以上のテープ幅のテープカートリッジ３１が装着されている場合、選択可能となる。
【００７１】
一方、本実施形態の表示制御部５４は、フォーム記憶部５１に記憶されている複数の入力フォームの中から、媒体判別部５８により判別された印刷媒体の種類に応じ１以上の入力フォームを抽出して、フォーム編集画面Ｄ１，Ｄ２に表示させる。図１２は、図１１に示す入力フォーム一覧がフォーム記憶部５１に記憶され、テープ印刷装置３に２４ｍｍのテープ幅のテープカートリッジ３１が装着され、且つ４月５日に「行事タブ」が選択されたときに表示する入力フォームの表示順序を示す図である。つまり、カテゴリーが「行事」の入力フォームであっても、対応するテープ幅が２４ｍｍを超える入力フォーム（図７に示すフォーム番号６，７）については、表示対象外となっている。
【００７２】
このように、第２実施形態によれば、テープ幅に応じて入力フォームの絞り込みを行うため、テープ幅が不足するような入力フォームの誤選択を防止できる。
【００７３】
なお、上記の実施形態では、媒体情報としてテープ幅を記憶したが、印刷テープの色や材質を記憶しておき、媒体判別部５８により、テープ印刷装置３に装着されているテープカートリッジ３１が適合するか否かを判別しても良い。
【００７４】
また、上記の実施形態では、対応する入力フォームを印刷可能な最低のテープ幅を記憶したが、各入力フォームに不適合な印刷媒体の種類をフォーム記憶部５１に記憶しておき、媒体判別部５８により、テープ印刷装置３に装着されているテープカートリッジ３１が、フォーム記憶部５１に記憶されている媒体情報に適合しないと判別された入力フォームを抽出して表示する構成としても良い。
【００７５】
［第３実施形態］
次に、図１３を参照し、本発明の第３施形態について説明する。本実施形態では、本発明の編集装置をテープ印刷装置３´に適用した場合について例示する。なお、本実施形態においても第１実施形態と同様の構成部分については同様の符号を付し、詳細な説明を省略する。
【００７６】
図１３は、本実施形態に係るテープ印刷装置３´の機能構成を示すブロック図である。本実施形態のテープ印刷装置３´は、第１実施形態に係るＰＣ２の機能構成に、媒体検出部５９、表示部７１および印刷部７２を追加し、印刷指令部５７を削除した構成となっている。つまり、本実施形態のテープ印刷装置３´は、外部装置から印刷ジョブを取得して印刷するのではなく、自装置に設けられた入力手段により、カテゴリー・入力フォームの選択、および編集処理を行い得る構成となっている（カテゴリー選択部５２、フォーム選択部５５および画像編集部５６参照）。
【００７７】
媒体検出部５９は、カートリッジ検出部３４（図３参照）に相当し、印刷テープＴの種類を検出する。表示部７１は、図５，６に示したフォーム編集画面Ｄ１，Ｄ２など、各種情報を表示する。印刷部７２は、画像編集部５６による編集結果に基づいて、印刷テープＴに印刷を行う。
【００７８】
このように、第３実施形態によれば、本発明をテープ印刷装置３´に適用した場合にも、第１実施形態と同様の効果を得ることができる。また、第２実施形態の構成を第３実施形態に適用し、印刷媒体の種類に応じて入力フォームの絞り込みを行っても良い。
【００７９】
なお、上記の実施形態では、編集装置を適用した装置の一例としてテープ印刷装置３´を例示したが、コピー用紙や葉書などの印刷媒体を用いる印刷装置（切断機能を有しない印刷装置）にも、本実施形態を適用可能である。
【００８０】
以上、３つの実施形態を示したが、各実施形態に示した印刷システム１またはテープ印刷装置３´における各構成要素をプログラムとして提供しても良い。また、そのプログラムを各種記録媒体（ＣＤ−ＲＯＭ、フラッシュメモリー等）に格納して提供しても良い。すなわち、コンピューターをＰＣ２、テープ印刷装置３、テープ印刷装置３´の各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００８１】
１：印刷システム  ２：ＰＣ  ３，３´：テープ印刷装置  ５１：フォーム記憶部  ５２：カテゴリー選択部  ５３：日時取得部  ５４：表示制御部  ５５：フォーム選択部  ５６：画像編集部  ５７：印刷指令部  ５８：媒体判別部  ５９：媒体検出部  ６１：タブ表示領域  ６２：フォーム選択肢表示領域  ６３：編集領域  ７１：表示部  ７２：印刷部  Ｄ１，Ｄ２：フォーム編集画面  Ｔ：印刷テープ
【図１】
2016012256.tif 000003
【図２】
2016012256.tif 000004
【図３】
2016012256.tif 000005
【図４】
2016012256.tif 000006
【図５】
2016012256.tif 000007
【図６】
2016012256.tif 000008
【図７】
2016012256.tif 000009
【図８】
2016012256.tif 000010
【図９】
2016012256.tif 000011
【図１０】
2016012256.tif 000012
【図１１】
2016012256.tif 000013
【図１２】
2016012256.tif 000014
【図１３】
2016012256.tif 000015